(57)【要約】      （修正有）【課題】引き手のねじり強度を高めるためのファスナーヘッド組み合わせ構造及びそのスライダーを提供することを課題とする。【解決手段】ファスナーヘッド組み合わせ構造は、スライダー１、フック部材、引き手、カバー本体及び弾性部材を含む。スライダー１は、第１の摺動部１１、第２の摺動部１２及び接続部１３を有する。第１の摺動部１１は、第１の支持体１１Ａ及び第１の支持体に対応する第２の支持体１１Ｂを有すると共に、頂端には下向きに陥没する弧形外表面１１０を有する。フック部材は、第１の支持体及び第２の支持体上に移動可能に設けられる。引き手は、その一方の末端に、フック部材と第１の摺動部１１の弧形外表面との間に移動可能に設けられる枢支接続部を有する。カバー本体は、フック部材を被覆するように、第１の支持体１１Ａ及び第２の支持体１１Ｂに設けられる。弾性部材は、カバー本体の内表面とフック部材との間に設けられる。【選択図】図５
0003202594.tif 000002
【実用新案登録請求の範囲】
【請求項１】
第１の摺動部と、前記第１の摺動部と互いに対応するように設けられた第２の摺動部と、前記第１の摺動部と前記第２の摺動部との間に接続された接続部とを有し、前記第１の摺動部と前記第２の摺動部との間に第１の収容空間が形成され、前記第１の摺動部が係止溝を有する第１の支持体及び前記第１の支持体に対応すると共に前記第１の収容空間に連通する係止孔を有する第２の支持体を有する、スライダーと、
前記第１の支持体及び前記第２の支持体上に移動可能に設けられており、前記係止溝内に設けられる第１の末端部と、前記係止孔を貫通する第２の末端部と、前記第１の末端部と前記第２の末端部との間に接続された接触部とを有する、フック部材と、
一方の末端に、前記フック部材と前記第１の摺動部との間に移動可能に設けられる枢支接続部を有する、引き手と、
前記第１の支持体に設けられる第１の側端部と、前記第１の側端部に対向すると共に前記第２の支持体に設けられる第２の側端部とを有する、カバー本体と、
前記カバー本体の内表面と前記フック部材との間に設けられる弾性部材と、
を含み、
前記第１の摺動部の頂端に、下向きに陥没する弧形外表面を有し、前記フック部材の前記接触部と前記第１の摺動部の前記弧形外表面との間に第２の収容空間が形成されると共に、前記引き手の前記枢支接続部が前記第２の収容空間内に収容され、
前記第１の摺動部は、第１の左側側止部と、前記第１の左側側止部に接続された左側補強リブと、前記第１の左側側止部に対応する第１の右側側止部と、前記第１の右側側止部に接続されると共に前記左側補強リブに対応する右側補強リブとを有し、前記第１の左側側止部及び前記左側補強リブは、いずれも前記第１の摺動部の一方の側端から前記第２の摺動部の方向に延在して突出し、前記第１の右側側止部及び前記右側補強リブは、いずれも前記第１の摺動部の他方の側端から前記第２の摺動部の方向に延在して突出し、
前記第２の摺動部は、前記第１の左側側止部と向かい合う第２の左側側止部と、前記第２の左側側止部に接続されると共に前記左側補強リブと向かい合う左側傾斜面と、前記第１の右側側止部と向かい合うと共に前記第２の左側側止部に対応する第２の右側側止部と、前記第２の右側側止部に接続されると共に前記右側補強リブと向かい合う右側傾斜面とを有し、前記第２の左側側止部は、前記第２の摺動部の一方の側端から前記第１の摺動部の方向に延在して突出し、前記第２の右側側止部は、前記第２の摺動部の他方の側端から前記第１の摺動部の方向に延在して突出する、
ことを特徴とするねじり強度を高めるためのファスナーヘッド組み合わせ構造。
【請求項２】
前記弧形外表面は、前記第１の支持体に隣接する第１の弧面と、前記第２の支持体に隣接する第２の弧面と、前記第１の弧面と前記第２の弧面との間に接続された第３の弧面とを有し、
前記第１の弧面は第１の所定半径を有し、前記第２の弧面は第２の所定半径を有し、前記第３の弧面は第３の所定半径を有し、前記第１の弧面の前記第１の所定半径は、前記第３の弧面の前記第３の所定半径よりも小さく、前記第３の弧面の前記第３の所定半径は、前記第２の弧面の前記第２の所定半径よりも小さく、
前記第１の左側側止部と前記第２の左側側止部との両者の間の最大距離は、前記左側補強リブの最底端と前記弧形外表面との両者の間の最小距離よりも小さく、前記第１の右側側止部と前記第２の右側側止部との両者の間の最大距離は、前記右側補強リブの最底端と前記弧形外表面との両者の間の最小距離よりも小さい、
ことを特徴とする請求項１に記載のねじり強度を高めるためのファスナーヘッド組み合わせ構造。
【請求項３】
前記スライダーは第１の中心軸線を有し、前記スライダーの前記接続部は第２の中心軸線を有し、前記第２の支持体の前記係止孔は第３の中心軸線を有し、
前記接続部の前記第２の中心軸線は、第１の所定方向に第１の所定距離だけ水平にずれており、前記係止孔の前記第３の中心軸線は、前記第１の所定方向とは反対の第２の所定方向に第２の所定距離だけ水平にずれており、
前記第１の左側側止部の厚さは、前記第１の右側側止部の厚さよりも大きく、前記第１の左側側止部から前記第１の中心軸線までの最短距離は、前記第１の右側側止部から前記第１の中心軸線までの最短距離よりも小さく、
前記第２の左側側止部の厚さは、前記第２の右側側止部の厚さよりも大きく、前記第２の左側側止部から前記第１の中心軸線までの最短距離は、前記第２の右側側止部から前記第１の中心軸線までの最短距離よりも小さい、
ことを特徴とする請求項１に記載のねじり強度を高めるためのファスナーヘッド組み合わせ構造。
【請求項４】
第１の摺動部と、前記第１の摺動部と互いに対応するように設けられた第２の摺動部と、前記第１の摺動部と前記第２の摺動部との間に接続された接続部とを有し、前記第１の摺動部が第１の支持体及び前記第１の支持体に対応する第２の支持体を有し、前記第１の摺動部の頂端に下向きに陥没する弧形外表面を有する、スライダーと、
前記第１の支持体及び前記第２の支持体上に移動可能に設けられている、フック部材と、
一方の末端に、前記フック部材と前記第１の摺動部の前記弧形外表面との間に移動可能に設けられる枢支接続部を有する、引き手と、
前記フック部材を被覆するように、前記第１の支持体及び前記第２の支持体に設けられる、カバー本体と、
前記カバー本体の内表面と前記フック部材との間に設けられる、弾性部材と、
を含み、
前記第１の摺動部は、第１の左側側止部と、前記第１の左側側止部に接続された左側補強リブと、前記第１の左側側止部に対応する第１の右側側止部と、前記第１の右側側止部に接続されると共に前記左側補強リブに対応する右側補強リブとを有し、前記第１の左側側止部及び前記左側補強リブは、いずれも前記第１の摺動部の一方の側端から前記第２の摺動部の方向に延在して突出し、前記第１の右側側止部及び前記右側補強リブは、いずれも前記第１の摺動部の他方の側端から前記第２の摺動部の方向に延在して突出する、
ことを特徴とするねじり強度を高めるためのファスナーヘッド組み合わせ構造。
【請求項５】
前記第２の摺動部は、前記第１の左側側止部と向かい合う第２の左側側止部と、前記第２の左側側止部に接続されると共に前記左側補強リブと向かい合う左側傾斜面と、前記第１の右側側止部と向かい合うと共に前記第２の左側側止部に対応する第２の右側側止部と、前記第２の右側側止部に接続されると共に前記右側補強リブと向かい合う右側傾斜面とを有し、前記第２の左側側止部は、前記第２の摺動部の一方の側端から前記第１の摺動部の方向に延在して突出し、前記第２の右側側止部は、前記第２の摺動部の他方の側端から前記第１の摺動部の方向に延在して突出する、
ことを特徴とする請求項４に記載のねじり強度を高めるためのファスナーヘッド組み合わせ構造。
【請求項６】
前記弧形外表面は、前記第１の支持体に隣接する第１の弧面と、前記第２の支持体に隣接する第２の弧面と、前記第１の弧面と前記第２の弧面との間に接続された第３の弧面とを有し、
前記第１の弧面は第１の所定半径を有し、前記第２の弧面は第２の所定半径を有し、前記第３の弧面は第３の所定半径を有し、前記第１の弧面の前記第１の所定半径は、前記第３の弧面の前記第３の所定半径よりも小さく、前記第３の弧面の前記第３の所定半径は、前記第２の弧面の前記第２の所定半径よりも小さく、
前記第１の左側側止部と前記第２の左側側止部との両者の間の最大距離は、前記左側補強リブの最底端と前記弧形外表面との両者の間の最小距離よりも小さく、前記第１の右側側止部と前記第２の右側側止部との両者の間の最大距離は、前記右側補強リブの最底端と前記弧形外表面との両者の間の最小距離よりも小さい、
ことを特徴とする請求項５に記載のねじり強度を高めるためのファスナーヘッド組み合わせ構造。
【請求項７】
前記スライダーは第１の中心軸線を有し、前記スライダーの前記接続部は第２の中心軸線を有し、前記第２の支持体の係止孔は第３の中心軸線を有し、
前記接続部の前記第２の中心軸線は、第１の所定方向に第１の所定距離だけ水平にずれており、前記係止孔の前記第３の中心軸線は、前記第１の所定方向とは反対の第２の所定方向に第２の所定距離だけ水平にずれており、
前記第１の左側側止部の厚さは、前記第１の右側側止部の厚さよりも大きく、前記第１の左側側止部から前記第１の中心軸線までの最短距離は、前記第１の右側側止部から前記第１の中心軸線までの最短距離よりも小さく、
前記第２の左側側止部の厚さは、前記第２の右側側止部の厚さよりも大きく、前記第２の左側側止部から前記第１の中心軸線までの最短距離は、前記第２の右側側止部から前記第１の中心軸線までの最短距離よりも小さい、
ことを特徴とする請求項４に記載のねじり強度を高めるためのファスナーヘッド組み合わせ構造。
【請求項８】
第１の摺動部と、
前記第１の摺動部と互いに対応するように設けられた第２の摺動部と、
前記第１の摺動部と前記第２の摺動部との間に接続された接続部と、
を含み、
前記第１の摺動部が第１の支持体及び前記第１の支持体に対応する第２の支持体を有し、前記第１の摺動部の頂端に下向きに陥没する弧形外表面を有し、
前記第１の摺動部は、第１の左側側止部と、前記第１の左側側止部に接続された左側補強リブと、前記第１の左側側止部に対応する第１の右側側止部と、前記第１の右側側止部に接続されると共に前記左側補強リブに対応する右側補強リブとを有し、前記第１の左側側止部及び前記左側補強リブは、いずれも前記第１の摺動部の一方の側端から前記第２の摺動部の方向に延在して突出し、前記第１の右側側止部及び前記右側補強リブは、いずれも前記第１の摺動部の他方の側端から前記第２の摺動部の方向に延在して突出する、
ことを特徴とするスライダー。
【請求項９】
前記第２の摺動部は、前記第１の左側側止部と向かい合う第２の左側側止部と、前記第２の左側側止部に接続されると共に前記左側補強リブと向かい合う左側傾斜面と、前記第１の右側側止部と向かい合うと共に前記第２の左側側止部に対応する第２の右側側止部と、前記第２の右側側止部に接続されると共に前記右側補強リブと向かい合う右側傾斜面とを有し、前記第２の左側側止部は、前記第２の摺動部の一方の側端から前記第１の摺動部の方向に延在して突出し、前記第２の右側側止部は、前記第２の摺動部の他方の側端から前記第１の摺動部の方向に延在して突出する、
ことを特徴とする請求項８に記載のスライダー。
【請求項１０】
前記弧形外表面は、前記第１の支持体に隣接する第１の弧面と、前記第２の支持体に隣接する第２の弧面と、前記第１の弧面と前記第２の弧面との間に接続された第３の弧面とを有し、
前記第１の弧面は第１の所定半径を有し、前記第２の弧面は第２の所定半径を有し、前記第３の弧面は第３の所定半径を有し、前記第１の弧面の前記第１の所定半径は、前記第３の弧面の前記第３の所定半径よりも小さく、前記第３の弧面の前記第３の所定半径は、前記第２の弧面の前記第２の所定半径よりも小さく、
前記第１の左側側止部と前記第２の左側側止部との両者の間の最大距離は、前記左側補強リブの最底端と前記弧形外表面との両者の間の最小距離よりも小さく、前記第１の右側側止部と前記第２の右側側止部との両者の間の最大距離は、前記右側補強リブの最底端と前記弧形外表面との両者の間の最小距離よりも小さい、
ことを特徴とする請求項９に記載のスライダー。
【考案の詳細な説明】
【技術分野】
【０００１】
本考案は、ファスナーヘッド組み合わせ構造及びそのスライダーに関し、特に引き手のねじり強度を高めるためのファスナーヘッド組み合わせ構造及びそのスライダーに関する。
【背景技術】
【０００２】
従来のファスナーヘッド組み合わせ構造は、スライダー、引き手、鉤爪及びカバーを含む。従来のファスナーヘッド組み合わせ構造の組み合わせ順序は、まず、引き手の端部をスライダーの陥没空間内に置くとともに、引き手をスライダーの一端に向けて押すことで、引き手上の嵌め孔にスライダー上の第１の固定ベース又は第２の固定ベースが嵌まるようにする。次いで、鉤爪をスライダーの第１の固定ベース及び第２の固定ベース上に固定する。この時、鉤爪の頭部は第１の固定ベースの凹溝内に設けられ、鉤爪の尾部は第２の固定ベースの凹溝底部に突き当てられ、鉤爪の腹部は引き手の端部上に寄り掛かり、また鉤爪の停止部は第１の固定ベースと第２の固定ベースとの間に設けられた鉤爪孔からスライダーの摺動溝内に進入する。最後に、カバーをスライダー上の第１の固定ベース及び第２の固定ベース上に被せる。この時、カバー内には、鉤爪上に押圧される弾性板が係止設置される。
【０００３】
しかしながら、従来、プルの端部を置くための陥没空間は制約を受け大きくすることができないため、プルの端部の寸法を大きくすることができず、ひいてはプルのねじり強度を制限する又は低下させるという問題があった。
【考案の概要】
【考案が解決しようとする課題】
【０００４】
上記既存技術の欠点に鑑み、本考案は、引き手のねじり強度を高めるためのファスナーヘッド組み合わせ構造及びそのスライダーを提供することを課題とする。
【課題を解決するための手段】
【０００５】
本考案に係るねじり強度を高めるためのファスナーヘッド組み合わせ構造は、スライダー、フック部材、引き手、カバー本体、及び弾性部材を含む。スライダーは、第１の摺動部と、第１の摺動部と互いに対応するように設けられた第２の摺動部と、第１の摺動部と第２の摺動部との間に接続された接続部とを有し、第１の摺動部と第２の摺動部との間に第１の収容空間が形成され、第１の摺動部が第１の支持体及び第１の支持体に対応する第２の支持体を有し、第１の支持体が係止溝を有し、第２の支持体が第１の収容空間に連通する係止孔を有する。フック部材は、第１の支持体及び第２の支持体上に移動可能に設けられており、係止溝内に設けられる第１の末端部と、係止孔を貫通する第２の末端部と、第１の末端部と第２の末端部との間に接続された接触部とを有する。引き手は、その一方の末端に、フック部材と第１の摺動部との間に移動可能に設けられる枢支接続部を有する。カバー本体は、第１の支持体に設けられる第１の側端部と、第１の側端部に対向すると共に第２の支持体に設けられる第２の側端部とを有する。弾性部材は、カバー本体の内表面とフック部材との間に設けられる。第１の摺動部の頂端に、下向きに陥没する弧形外表面を有し、フック部材の接触部と第１の摺動部の弧形外表面との間に第２の収容空間が形成されると共に、引き手の枢支接続部が第２の収容空間内に収容される。第１の摺動部は、第１の左側側止部と、第１の左側側止部に接続された左側補強リブと、第１の左側側止部に対応する第１の右側側止部と、第１の右側側止部に接続されると共に左側補強リブに対応する右側補強リブとを有し、第１の左側側止部及び左側補強リブは、いずれも第１の摺動部の一方の側端から第２の摺動部の方向に延在して突出し、第１の右側側止部及び右側補強リブは、いずれも第１の摺動部の他方の側端から第２の摺動部の方向に延在して突出する。第２の摺動部は、第１の左側側止部と向かい合う第２の左側側止部と、第２の左側側止部に接続されると共に左側補強リブと向かい合う左側傾斜面と、第１の右側側止部と向かい合うと共に第２の左側側止部に対応する第２の右側側止部と、第２の右側側止部に接続されると共に右側補強リブと向かい合う右側傾斜面とを有し、第２の左側側止部は、第２の摺動部の一方の側端から第１の摺動部の方向に延在して突出し、第２の右側側止部は、第２の摺動部の他方の側端から第１の摺動部の方向に延在して突出する。
【考案の効果】
【０００６】
本考案に係るファスナーヘッド組み合わせ構造及びそのスライダーは、「第１の摺動部の頂端に下向きに陥没する弧形外表面を有し、フック部材の接触部と第１の摺動部の弧形外表面との間に第２の収容空間が形成されると共に、引き手の枢支接続部が第２の収容空間内に収容される」構成としたことにより、引き手のねじり強度を高めることが可能である。
【図面の簡単な説明】
【０００７】
【図１】本考案に係るねじり強度を高めるためのファスナーヘッド組み合わせ構造の分解図である。
【図２】本考案に係るねじり強度を高めるためのファスナーヘッド組み合わせ構造の他の視点から見た分解図である。
【図３】本考案に係るねじり強度を高めるためのファスナーヘッド組み合わせ構造の組立後の状態を示す立体図である。
【図４】本考案に係るねじり強度を高めるためのファスナーヘッド組み合わせ構造の組立後の状態を示す側面図である。
【図５】本考案に係るねじり強度を高めるためのファスナーヘッド組み合わせ構造のスライダーの側面図である。
【図６】本考案に係るねじり強度を高めるためのファスナーヘッド組み合わせ構造のスライダーの平面図である。
【図７】図１のＡ−Ａ切断線における断面図である。
【図８】図１のＢ−Ｂ切断線における断面図である。
【図９】図１のＣ−Ｃ切断線における断面図である。
【考案を実施するための形態】
【０００８】
以下、特定の具体的な実施例を用いて本考案に係るねじり強度を高めるためのファスナーヘッド組み合わせ構造及びそのスライダーの実施形態を説明する。当業者は、本明細書の開示内容によって本考案の利点や効果を理解することができる。本考案は、その他の異なる具体的な実施例によって実施又は応用することができ、本明細書における各細部についても、異なる観点及び応用に基づいて、本考案の主旨を逸脱しない範囲において、種々の修正や変更を加えることができる。また、本考案の図面は、簡単に説明するために用いるものであって、実際の寸法に基づいて描画されたものではない。以下の実施形態において、本考案の関連技術内容を更に詳しく説明するが、それによって開示された内容は本考案の技術範囲を制限するものではない。
【０００９】
図１乃至図９に示すように、本考案に係るねじり強度を高めるためのファスナーヘッド組み合わせ構造Ｚは、スライダー１（又はファスナーヘッドという）、フック部材２（又は鉤爪という）、引き手３（又はプルという）、カバー本体４、及び弾性部材５を含む。
【００１０】
まず、図１乃至図４に示すように、スライダー１は、第１の摺動部１１と、第１の摺動部１１と互いに対応するように設けられた第２の摺動部１２と、第１の摺動部１１と第２の摺動部１２との間に接続された接続部１３とを有する。更に言えば、第１の摺動部１１と第２の摺動部１２とは互いに所定距離だけ離れており、第１の摺動部１１と第２の摺動部１２との間に第１の収容空間Ｓ１が形成される。また、第１の摺動部１１は、第１の支持体１１Ａ及び第１の支持体１１Ａに対応する第２の支持体１１Ｂを有する。第１の支持体１１Ａは、係止溝１１０Ａを有する。第２の支持体１１Ｂは、第１の収容空間Ｓ１に連通する係止孔１１０Ｂを有する。
【００１１】
更に、図１、図２及び図４に示すように、フック部材２は、第１の支持体１１Ａ及び第２の支持体１１Ｂ上に移動可能に設けられる。更に言えば、フック部材２は、係止溝１１０Ａ内に設けられる第１の末端部２１と、係止孔１１０Ｂを貫通する第２の末端部２２と、第１の末端部２１と第２の末端部２２との間に接続された接触部２３とを有する。また、引き手３の一方の末端には、フック部材２と第１の摺動部１１との間に移動可能に設けられる枢支接続部３０を有する。また、カバー本体４は、第１の支持体１１Ａに設けられる第１の側端部４１と、第１の側端部４１に対向すると共に第２の支持体１１Ｂに設けられる第２の側端部４２とを有する。カバー本体４は、フック部材２を被覆するように、第１の支持体１１Ａ及び第２の支持体１１Ｂ上に設けられる。更に、弾性部材５は、カバー本体４の内表面とフック部材２との間に設けられる。カバー本体４の内表面には、カバー本体４の最底端に接続された複数の凹溝４００を有する（図２を参照）。
【００１２】
更に言えば、図１、図４、図５及び図６に示すように、第１の摺動部１１の頂端には、下向きに陥没する弧形外表面１１０を有する。フック部材２の接触部２３と第１の摺動部１１の弧形外表面１１０との間には、第２の収容空間Ｓ２が形成されると共に、引き手３の枢支接続部３０が第２の収容空間Ｓ２に収容される。換言すれば、本考案は、「第１の摺動部１１の頂端に下向きに陥没する弧形外表面１１０が形成される」構成としたことにより、第２の収容空間Ｓ２の収容可能な体積を大きくすることができ、ひいては引き手３の枢支接続部３０の寸法（例えば直径）も大きくすることができるため、引き手３のねじり強度を効果的に向上させることが可能である。従って、本考案に係る引き手３は、より厳しいねじり強度試験にも耐えることができる。
【００１３】
更に言えば、弧形外表面１１０は、単一の弧面又は複数の弧面から成るものであってよい。例えば、図５及び図６に示すように、弧形外表面１１０は、第１の支持体１１Ａに隣接又は接続する第１の弧面１１０１と、第２の支持体１１Ｂに隣接又は接続する第２の弧面１１０２と、第１の弧面１１０１と第２の弧面１１０２との間に接続された第３の弧面１１０３とを有する。また、第１の弧面１１０１は第１の所定半径Ｒ１を有し、第２の弧面１１０２は第２の所定半径Ｒ２を有し、第３の弧面１１０３は第３の所定半径Ｒ３を有する。第１の弧面１１０１の第１の所定半径Ｒ１は第３の弧面１１０３の第３の所定半径Ｒ３よりも小さく、第３の弧面１１０３の第３の所定半径Ｒ３は第２の弧面１１０２の第２の所定半径Ｒ２よりも小さい。
【００１４】
以下、図１、図５及び図７を用いて説明する。図７は図１のＡ−Ａ切断線における断面図である。第１の摺動部１１は、第１の左側側止部１１１と、第１の左側側止部１１１に接続された左側補強リブ１１２と、第１の左側側止部１１１に対応する第１の右側側止部１１３と、第１の右側側止部１１３に接続されると共に左側補強リブ１１２に対応する右側補強リブ１１４とを有する。また、第１の左側側止部１１１及び左側補強リブ１１２は、いずれも第１の摺動部１１の一方の側端から第２の摺動部１２の方向に延在して突出し、第１の右側側止部１１３及び右側補強リブ１１４は、いずれも第１の摺動部１１の他方の側端から第２の摺動部１２の方向に延在して突出する。
【００１５】
また、第２の摺動部１２は、第１の左側側止部１１１と向かい合う第２の左側側止部１２１と、第２の左側側止部１２１に接続されると共に左側補強リブ１１２と向かい合う左側傾斜面１２２と、第１の右側側止部１１３と向かい合うと共に第２の左側側止部１２１に対応する第２の右側側止部１２３と、第２の右側側止部１２３に接続されると共に右側補強リブ１１４と向かい合う右側傾斜面１２４とを有する。また、第２の左側側止部１２１は、第２の摺動部１２の一方の側端から第１の摺動部１１の方向に延在して突出し、第２の右側側止部１２３は、第２の摺動部１２の他方の側端から第１の摺動部１１の方向に延在して突出する。
【００１６】
図５に示すように、第１の右側側止部１１３及び第２の右側側止部１２３の両者の間の最大距離ｄ１は、右側補強リブ１１４の最底端及び弧形外表面１１０の両者の間の最小距離ｄ２よりも小さくなければならない。また、第１の左側側止部１１１（第１の右側側止部１１３に遮られているため破線で示す）及び第２の左側側止部１２１（第２の右側側止部１２３に遮られているため破線で示す）の両者の間の最大距離ｄ１（上述した最大距離ｄ１に同じ）は、左側補強リブ１１２（右側補強リブ１１４に遮られているため破線で示す）の最底端及び弧形外表面１１０の両者の間の最小距離ｄ２（上述した最小距離ｄ２に同じ）よりも小さくなければならない。これにより、複数のスライダーが並べられてバリ取りが行われた場合、第１の摺動部１１が左側補強リブ１１２及び右側補強リブ１１４の構成によって厚さが増しているため、スライダー同士が互いに噛み合うことがない。
【００１７】
以下、図７、図８及び図９を用いて説明する。図８は図１のＢ−Ｂ切断線における断面図である。図９は図１のＣ−Ｃ切断線における断面図である。
【００１８】
まず、図８に示すように、スライダー１は第１の中心軸線Ｃ１を有し、スライダー１の接続部１３は第２の中心軸線Ｃ２を有し、第２の支持体１１Ｂの係止孔１１０Ｂは第３の中心軸線Ｃ３を有する。接続部１３の第２の中心軸線Ｃ２は、第１の所定方向に第１の所定距離だけ水平にずれている。係止孔１１０Ｂの第３の中心軸線Ｃ３は、第１の所定方向とは反対の第２の所定方向に第２の所定距離だけ水平にずれている。
【００１９】
更に言えば、図７及び図８に示すように、第１の左側側止部１１１の第１の厚さＨ１１は、第１の右側側止部１１３の第２の厚さＨ１２よりも大きく、第１の左側側止部１１１から第１の中心軸線Ｃ１までの第１の最短距離Ｄ１１は、第１の右側側止部１１３から第１の中心軸線Ｃ１までの第２の最短距離Ｄ１２よりも小さい。図７及び図９に示すように、第２の左側側止部１２１の第１の厚さＨ２１は、第２の右側側止部１２３の第２の厚さＨ２２よりも大きく、第２の左側側止部１２１から第１の中心軸線Ｃ１までの第１の最短距離Ｄ２１は、第２の右側側止部１２３から第１の中心軸線Ｃ１までの第２の最短距離Ｄ２２よりも小さい。
【００２０】
このように、本考案は、以下の有益な効果を有する。即ち、本考案に係るファスナーヘッド組み合わせ構造Ｚ及びそのスライダー１は、「第１の摺動部１１の頂端には、下向きに陥没する弧形外表面１１０を有し、フック部材２の接触部２３と第１の摺動部１１の弧形外表面１１０との間には、第２の収容空間Ｓ２が形成されると共に、引き手３の枢支接続部３０が第２の収容空間Ｓ２に収容される」構成としたことにより、第２の収容空間Ｓ２の収容可能な体積を大きくすることができ、ひいては引き手３の枢支接続部３０の寸法（例えば直径）も大きくすることができるため、引き手３のねじり強度を効果的に向上させることが可能である。従って、本考案に係る引き手３は、より厳しいねじり強度試験にも耐えることができる。
【００２１】
以上は、本考案の好ましい実施例に過ぎず、本考案の実用新案登録請求の範囲を限定するものではない。従って、本考案の明細書及び図面の内容を運用してなされた等価の技術的変更は、いずれも本考案の保護範囲内に含まれる。
【符号の説明】
【００２２】
Ｚ  ファスナーヘッド組み合わせ構造
１  スライダー
１１  第１の摺動部
１１Ａ  第１の支持体
１１０Ａ  係止溝
１１Ｂ  第２の支持体
１１０Ｂ  係止孔
１１０  弧形外表面
１１０１  第１の弧面
１１０２  第２の弧面
１１０３  第３の弧面
Ｒ１  第１の所定半径
Ｒ２  第２の所定半径
Ｒ３  第３の所定半径
１１１  第１の左側側止部
１１２  左側補強リブ
１１３  第１の右側側止部
１１４  右側補強リブ
１２  第２の摺動部
１２１  第２の左側側止部
１２２  左側傾斜面
１２３  第２の右側側止部
１２４  右側傾斜面
１３  接続部
２  フック部材
２１  第１の末端部
２２  第２の末端部
２３  接触部
３  引き手
３０  枢支接続部
４  カバー本体
４００  凹溝
４１  第１の側端部
４２  第２の側端部
５  弾性部材
Ｓ１  第１の収容空間
Ｓ２  第２の収容空間
ｄ１  最大距離
ｄ２  最小距離
Ｃ１  第１の中心軸線
Ｃ２  第２の中心軸線
Ｃ３  第３の中心軸線
Ｈ１１、Ｈ２１  第１の厚さ
Ｈ１２、Ｈ２２  第２の厚さ
Ｄ１１、Ｄ２１  第１の最短距離
Ｄ１２、Ｄ２２  第２の最短距離
【図１】
0003202594.tif 000003
【図２】
0003202594.tif 000004
【図３】
0003202594.tif 000005
【図４】
0003202594.tif 000006
【図５】
0003202594.tif 000007
【図６】
0003202594.tif 000008
【図７】
0003202594.tif 000009
【図８】
0003202594.tif 000010
【図９】
0003202594.tif 000011